(57)【要約】      （修正有）【課題】長時間使用しても、視覚的に疲労を覚えにくい視覚保護カバー付電卓を提供する。【解決手段】本体１０、ディスプレイパネル１２及び視覚保護カバーで構成する。本体の正面にキーボタン及び数字を表示するＬＣＤディスプレイパネル配置し、視覚保護カバーはディスプレイパネルの表示領域に対応して配置する。視覚保護カバーに透明表示エリアを設け、目を保護する色付きで光透過性を具有し、視覚保護カバーの透明表示エリアに目を保護する色を設ける。更に、色により、ＬＣＤディスプレイパネルの空白所に浮かぶＬＣＤ字形の残影及び、異なる視角の字体の下に浮かぶ二重の残影を目立たなくする。【選択図】図２
0003156675.tif 000002
【実用新案登録請求の範囲】
【請求項１】
本体、数字、符号を表示するＬＣＤディスプレイパネル、視覚保護カバーからなり、
本体の正面に複数のキーボタンを設け、更にディスプレイパネルを設け、
視覚保護カバーは本体の正面に対応して、ディスプレイパネルに対応する箇所に設置し、
視覚保護カバーのディスプレイパネルの表示領域に対応する箇所に透明表示エリアを設けた、ことを特徴とする視覚保護カバー付き電卓の構造。
【請求項２】
前記視覚保護カバーの透明表示エリアの色は暖色のオレンジ色とすることを特徴とする請求項１記載の視覚保護カバー付き電卓の構造。
【請求項３】
前記視覚保護カバーの透明表示エリアの色は淡い緑色とすることを特徴とする請求項１記載の視覚保護カバー付き電卓の構造。
【請求項４】
前記視覚保護カバーの透明表示エリアの色は白色とすることを特徴とする請求項１記載の視覚保護カバー付き電卓の構造。
【請求項５】
前記視覚保護カバーの透明表示エリアの色はピンク色とすることを特徴とする請求項１記載の視覚保護カバー付き電卓の構造。
【請求項６】
前記視覚保護カバーの透明表示エリアの色は青色とすることを特徴とする請求項１記載の視覚保護カバー付き電卓の構造。
【考案の詳細な説明】
【技術分野】
【０００１】
本考案は、視覚保護カバー付き電卓の構造に関し、特に電子回路ユニットを使って、数の計算を行う電子装置の構造に関する。
【背景技術】
【０００２】
従来技術の電卓のコンセプトは、細長いLCDディスプレイを電卓ケースに設置し、ユーザーが入力し、計算した数字や符号を表示する。また、その表示箇所に透明のプラスティック材質の薄いプレートを設置することで、内部のLCDディスプレイを保護する。
【０００３】
しかし、従来技術の電卓構造では、ディスプレイは往々にして数字や符号を表示していない空白パネルの部分に、パネルにあるLCD文字の残影が浮かびやすい。ユーザーは傾斜した角度でディスプレイを見ると、数字や符号のほかに、二重の残影が浮かぶのが分かる。そのため、ユーザーの視覚が惑わされて、目に不快感を覚えることになる。更に、ディスプレイの濃いグレーの字体とディスプレイの空白部分の対比色がはっきりしないため、長時間使用すると、目に疲労感を覚えやすいなど、更なる改善が必要であった。
【先行技術文献】
【特許文献】
【０００４】
【特許文献１】特開２００８−１０２２７８号公報
【考案の概要】
【考案が解決しようとする課題】
【０００５】
前記公知構造の欠点を解決するため、本考案は視覚保護カバー付き電卓を提供することを主な課題とする。
【課題を解決するための手段】
【０００６】
前記課題を解決するため、本考案は視覚保護カバー付き電卓を提供する。それに含まれるのは本体、ディスプレイ、視覚保護カバーである。本体の正面に複数のキーボタン及びディスプレイを設ける。該LCDディスプレイは、数字や符号を表示する。
【０００７】
視覚保護カバーは本体の正面に設置し、視覚保護カバーは透明の表示エリアを具え、該エリアは色付き且つ光透過性を持ち、ディスプレイパネルエリアに対応して設置する。該視覚保護カバーの透明表示エリアの色は、暖色のオレンジ色や、淡い緑色など、目を保護する色とする。
【０００８】
本考案の視覚保護カバー付き電卓を使用する際、視覚保護カバーの透明表示エリアにオレンジ色或いは緑色などの目を保護する色を設置するため、該色と字幕が高い対比視覚効果が生まれて、ユーザーが長時間本考案品を使用しても、視覚的に疲労を覚えにくく、頻繁に電卓を使って作業するユーザーにとって、視力を保護する効果がある。更に透明表示エリアに特定の色を具有することで、LCDディスプレイパネルの空白所に浮かぶLCD字形の残影及び、視角が斜めの状態で見える表示字体の下に浮かぶ二重の残影を目立たなくすることができる。よってユーザーが使用しているときに余分の残影に惑わされて不快感を覚えることがない。
【考案の効果】
【０００９】
本考案は視覚保護カバーの透明表示エリアにオレンジ色或いは緑色などの目を保護する色を設置するため、該色と字幕が高い対比視覚効果を持つため、長時間使用しても、視覚的に疲労を覚えにくい。また、特定の色を具有することで、残影を目立たなくなるため、余分の映像に惑わされて不快感を覚えることがない。
【図面の簡単な説明】
【００１０】
【図１】本考案の外観図である。
【図２】本考案の外観分解図である。
【考案を実施するための形態】
【００１１】
本考案による視覚保護カバー付き電卓の構造を明確に示すために図に沿って詳細な説明を行う。図面及びこれらの説明の主旨は考案の内容を明らかにするものであって、本考案実施時の配置は必ずしもこれらと厳密に一致するものではなく、添付する図面の形態及び配置を持って本考案の権利範囲が制約されるものではない。
【実施例】
【００１２】
図１及び図２に示すのは、本考案の視覚保護カバー付き電卓の最良実施例であり、本体１０及び視覚保護カバー２０を備える。
【００１３】
前述本体１０の正面に複数のキーボタン１１を設け、ユーザーはそれにより入力して計算を行う。このほか、本体１０の正面にディスプレイエリア１２を設け、LCDディスプレイパネル１２１に数字と符号を表示する。
【００１４】
前記視覚保護カバー２０は本体１０の正面に対応し、視覚保護カバー２０に透明の表示エリア２１を具有し、該エリア２１は色付きのプラスティック材質で作られ、且つ光透過性を持ち、ディスプレイパネルエリア１２に対応して設置する。該透明表示エリア２１の色は、暖色のオレンジ色や、淡い緑色など、ユーザーの目にとって、目を保護する色を使用する。
【００１５】
本考案の視覚保護カバー付き電卓を使用する際、視覚保護カバー２０の透明表示エリア２１にオレンジ色、緑色、白色、ピンク色、青色などの視覚保護カバー色を使っているため、該色と字幕で生じる高い対比視覚効果により、ユーザーが長時間本考案を使用しても、視覚的に疲労を覚えにくい。頻繁に電卓で作業を行うユーザーにとって、視力を保護する効果がある。更に、透明表示エリア２１は特定の色を具有することで、LCDディスプレイパネル１２１がパネル空白所に浮かぶLCD字形の残影を目立たなくすることができるほか、斜めの視角で見える表示字体の下に浮かぶ二重の残影を目立たなくすることができる。よって、ユーザーは本考案の電卓を使用する際、余分の映像に惑わされて不快感を覚えることがない。
【００１６】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１７】
１０  本体
１１  ボタン
１２  ディスプレイパネル
１２１  LCD  ディスプレイパネル
２０  視覚保護カバー
２１  透明表示エリア
【図１】
0003156675.tif 000003
【図２】
0003156675.tif 000004